(57)【特許請求の範囲】
【請求項１】
壁掛け用に適合された照明器具であり、
第１の表面及び反対側の第２の表面を有する支持構造体と、出射領域から第１の位置に第１の照明効果を提供するために前記支持構造体の前記第１の表面に結合された第１の光源と、を備える第１の照明モジュールであって、前記支持構造体の前記第２の表面の一部は反射部分である、第１の照明モジュールと、
第２の位置に第２の照明効果を提供するための第２の光源を備える第２の照明モジュールであって、前記第２の光源は前記支持構造体の前記第２の表面に結合されている、第２の照明モジュールと、
当該照明器具の取り付け用の取付板と、
前記第２の照明モジュールから離れて取り付けられ、前記反射部分に向けられている反射器と、を備え、
前記取付板の一部は、前記反射器とされ、
前記第２の照明モジュールは前記反射器に向けられている、照明器具。
【請求項２】
前記第２の照明モジュールは、２０度未満の出力ビーム角度で光出力を提供する、請求項１に記載の照明器具。
【請求項３】
前記第２の照明モジュールは、ＬＥＤアレイを含む、請求項１又は２に記載の照明器具。
【請求項４】
前記支持構造体の前記第２の表面の前記反射部分は、照明パターンを生成するための構造化表面を含み、前記反射部分は、ガラス、アルミニウム、又はプラスチックを含む、請求項１乃至３の何れか一項に記載の照明器具。
【請求項５】
前記第１の光源は、小型の蛍光灯、ＬＥＤ装置、又はＯＬＥＤ装置を含む、請求項１乃至４の何れか一項に記載の照明器具。
【請求項６】
前記第１及び第２の光源を制御するためのコントローラを更に備え、前記コントローラは、各光源の色、色温度及び／又は強度を独立して制御する、請求項１乃至５の何れか一項に記載の照明器具。
【請求項７】
少なくとも前記第２の光源が照明素子のアレイを備え、前記コントローラが前記第２の光源の各照明素子の少なくとも強度を独立して制御する、請求項６に記載の照明器具。
【請求項８】
前記第１及び第２の光源を制御するためのコントローラを更に備え、前記コントローラは、
前記第１の照明モジュールのみを使用した作業用照明モード、
前記第２の照明モジュールのみを使用した装飾用照明モード、及び、
前記第１及び第２の照明モジュールを使用した複合照明モードの３つの動作モードを実施するように適合される、請求項１乃至６の何れか一項に記載の照明器具。
【請求項９】
壁取り付け用に適合された照明器具であり、
第１の表面及び反対側の第２の表面を有する支持構造体と、出射領域から第１の位置に第１の照明効果を提供するために前記支持構造体の前記第１の表面に結合された第１の光源と、を備える第１の照明モジュールであって、前記支持構造体の前記第２の表面の一部は反射部分である、第１の照明モジュールと、
第２の位置に第２の照明効果を提供するための第２の光源を備える第２の照明モジュールであって、前記第２の光源は前記支持構造体の前記第２の表面に結合されている、第２の照明モジュールと、
装飾用照明を前記支持構造体の前記第２の表面の前記反射部分に向けて戻すために、前記支持構造体の前記第２の表面の上方に、前記第２の照明モジュールから離れて取り付けられ、前記反射部分に向けられた反射器と、を備え、
前記支持構造体は、照明器具の取り付け用であるキャリアプレートを備え、
前記第２の照明モジュールは前記反射器に向けられている、照明器具。
【請求項１０】
壁掛け用に適合された照明器具を使用して第１及び第２の照明効果を提供する方法であって、前記方法は、
第１の照明モジュールを使用して第１の位置に第１の照明効果を提供するステップであって、前記第１の照明モジュールは、第１の表面及び反対側の第２の表面を有する支持構造体と、出射領域から第１の位置に第１の照明効果を提供するために前記支持構造体の前記第１の表面に結合された第１の光源とを備える、ステップと、
第２の照明モジュールを使用して第２の照明効果を提供するステップであって、前記第２の照明モジュールは第２の位置に第２の照明効果を提供するための第２の光源を備え、前記第２の光源は前記支持構造体の前記第２の表面に結合され、第２の光源の出力を、前記出射領域から離れるように向いている前記支持構造体の前記第２の表面の反射部分に向けられ、前記第２の照明モジュールが、当該照明器具の取り付け用の取付板の一部であり、当該第２の照明モジュールから離れて設けられた反射器に向けられ、該反射器が、前記反射部分に向けられることを含むステップと、を含む、方法。
【発明の詳細な説明】
【技術分野】
【０００１】
本発明は、屋内照明システムに関する。
【背景技術】
【０００２】
一般的に、人々は、照明の主要な供給源として、人工光よりも日光を好む。誰もが、日常生活における日光の重要性を認識している。日光は、人々の健康及び幸福にとって重要であることが知られている。
【０００３】
一般的に、人々は自分の時間の９０％超を屋内で過ごし、自然の日光から遠ざかっていることが多い。従って、家、学校、店舗、オフィス、病院の病室、及び風呂場などを含めて、自然の日光が不足している環境において、人工光で納得のいく日光の印象を生成する人工日光光源が必要である。
【０００４】
日光をより忠実に模倣しようと試みる照明システムの大きな発展があった。例えば、そのような照明システムは人工天空光として使用され、これは実際の天窓を通して受け取られる自然の日光を模倣しようと試みるものである。人工天空光の本物らしさを向上させるために、天空光の解決策は、実際の天窓が取り付けられるのと同じ態様で、通常は天井の窪みに取り付けられる。
【０００５】
出願人によって以前に提案された１つの方式は、ある角度、例えば４０度〜９０度で天窓を見るときには青色（即ち、晴天）の様相を呈するが、天窓表面の垂直方向に並行に、即ち下方に向けられたビーム中では主に白色光を依然として放射するものである。これにより、下向きの方向には実用的な白色光を、垂直に対して傾斜している方向にはより青色の光を提供する。
【０００６】
自然の日光のカラーポイントの時間変化が模倣され得るように、又は更に特定のカラーポイントが選択され得るように、色温度を選択可能にするか、又は更に時間と共に変化可能にすることが望ましいことも、認識されている。しかしながら、これは、より複雑な光源と、関連する制御システムとを必要とする。
【発明の概要】
【課題を解決するための手段】
【０００７】
本発明は、特許請求の範囲により規定される。
【０００８】
本発明の一態様によると、
第１の表面及び反対側の第２の表面を有する支持構造体と、出射領域から第１の位置に第１の照明効果を提供するために支持構造体の第１の表面に結合された第１の光源と、を備える第１の照明モジュールであって、支持構造体の第２の表面の一部は反射部分である、第１の照明モジュールと、
第２の位置に第２の照明効果を提供するための第２の光源を備える第２の照明モジュールであって、第２の光源は支持構造体の第２の表面に結合されている、第２の照明モジュールと、
第２の照明モジュールから離れて取り付けられ、反射部分に向けられている反射器と、を備え、
第２の照明モジュールは反射器に向けられている、照明器具が提供される。
【０００９】
この照明器具は、２つの照明モジュールを組み合わせており、１つは作業用照明などの第１の照明効果用であり、もう１つは装飾用照明などの第２の照明効果用である。支持構造体の第２の表面の反射部分は、向きが光出射領域から離れるように向いているので、第２の照明効果は本質的に、第１の照明モジュールの背面から反射される。反射部分は、例えば水面からの反射などの自然に現れる照明効果を模倣するように、所望の表面効果を提供されて所望の第２の照明効果を生成することができる。しかしながら、反射部分は第１の照明モジュールの光出射領域の反対側にあるので、視界から隠される。このようにして、２つの照明モジュールが、必要とされる部品数を低減し、かつ照明器具全体の外観のデザインに自由をもたらすような態様で、組み合わされる。
【００１０】
第２の（例えば、装飾的な）照明特徴は、広範囲の照明器具に容易に適用されることができ、機能的な照明器具に対して装飾的な特徴として容易に追加されることができる。それは、より快適でよい刺激になる屋内照明雰囲気を作り出すために使用されることができる。
【００１１】
第２の照明モジュールは、例えば、実質的に平行になった光出力を提供するように適合される。これは、反射部分による反射の後に所望の照明効果を生成するために、効果的である。例えば、第２の照明モジュールは、２０度未満の出力ビーム角度で光出力を提供するように適合されてもよい。
【００１２】
第２の照明モジュールは、ＬＥＤアレイを備えてもよい。これらのＬＥＤは、所望の狭いビーム出力を生成することができ、また、色及び強度が動的に制御されて動的な装飾的照明効果を生成することができる。アレイは、例えば、反射部分のデザインに見合うように選択された、線、円形、楕円形、又はランダムな格子を含んでもよい。
【００１３】
反射部分は、照明パターンを生成するための構造化表面を含んでもよい。パターンが動く幻影が、動的に強度を制御することにより作り出されることができる。反射部分は、ガラス、アルミニウム、又はプラスチックを含んでもよく、異なる材料及び表面構造を使用して、異なる効果を生むことができる。反射部分を変更することにより異なる第２の（例えば、装飾的な）照明効果が実装されることができるように、反射部分は、取り外し可能な部品として提供されてもよい。
【００１４】
第１の光源は、小型の蛍光灯、ＬＥＤ装置、又はＯＬＥＤ装置を含んでもよい。一般的に、第１の照明効果が作業用照明である場合、第１の照明効果に必要とされる制御の程度は、第２の照明効果が装飾光である場合、第２の照明効果に対してよりも低いことがある。例えば、作業用照明効果に対しては、装飾的な照明効果に対してよりも、色又は色温度の必要とされる動的制御がはるかに遅くてもよい。
【００１５】
第１及び第２の光源を制御するために、コントローラが提供されることが好ましい。コントローラは、例えば、各光源の色及び強度を独立して制御するように適合され、光源の一方又は両方が、独立して制御可能な下位要素を更に備えてもよい。
【００１６】
例えば、第２の光源が照明素子のアレイを備えてもよく、コントローラが第２の光源の各照明素子の少なくとも強度を独立して制御するように適合される。個々の素子は固定の色（例えば、ＲＧＢ  ＬＥＤ）を有することでもよいが、次いで、照明素子の強度の組み合わせを選択することによって、色出力が調節されることができる。なお、各「照明素子」は単一のＬＥＤであってもよいが、ＬＥＤのクラスターであってもよい。従って、制御は光源全体よりも細かいレベルになるが、必ずしも個別のＬＥＤのレベルである必要はない。１つの素子がＲＧＢセットである場合には、クラスター出力の色及び強度が制御されることができる。独立して制御される１つの素子は、代わりに、そのようなクラスターの１つのグループであってもよい。これらの素子のレベルでの制御により、動的なパターンが生成されることが可能になる。第１の光源は、照明素子のアレイを含んでもよく、これらは独立して制御可能であってもなくてもよい。例えば、動的効果は、第１の光源が所望の輝度を達成するためにＬＥＤのアレイである場合でも、第２の照明効果（例えば、装飾的な効果）のためにのみ所望されることがある。
【００１７】
動的なパターンが、照明器具内の物理的な可動部を使用することなく、これらの個々の照明下位素子の動的な制御に基づいて、動くように見せかけることができる。
【００１８】
コントローラは、次の３つの動作モードを実施するように適合されてもよい：
第１の照明モジュールのみを使用した作業用照明モード、
第２の照明モジュールのみを使用した装飾用照明モード、
第１及び第２の照明モジュールを使用した複合照明モード。
【００１９】
第１の実施例では、第２の照明モジュールは天井取り付け用であり、照明器具は、第２の照明モジュールの下に第１の照明モジュールを吊るすための吊り構造体を備え、出射領域が第１の照明モジュールの底部にあり、反射部分が第１の照明モジュールの上部にある。
【００２０】
この配置は、吊り下げられた第１の照明モジュールの上部が反射器として使用されて、天井に取り付けられた第２の照明モジュールからの光を第１の照明モジュールの上方に反射する、ペンダント灯を規定する。支持構造体のこの最上部は、例えば、第１の照明モジュールの上方支持構造体の一部を形成する照明の笠の背面を含むことでもよい。「支持構造体」という用語は、しかるべく理解されるべきである。これは、第１の照明モジュールのインフラストラクチャを含む。第１の光源は支持構造体（例えば、キャリアプレート）上に取り付けられてもよく、又は、支持構造体は、照明の笠など、直接的に光源を支えていない第１の照明モジュールの一部であってもよい。
【００２１】
第２の実施例では、照明器具は以下を含む、即ち、
天井から照明器具を吊り下げるための吊り構造体と、
吊り構造体が天井に接続されることになる天井の位置に取り付けられる反射器とを含み、
出射領域は第１の照明モジュールの底部にあり、
反射部分は第１の照明モジュールの上部にあり、
第２の照明モジュールは、第１の照明モジュールの上部に取り付けられ、反射器に向けられており、
反射器は反射部分に向けられている。
【００２２】
これはペンダント灯の別のタイプを規定し、このタイプでは、２つの照明モジュールが単一のユニットを形成し、第２のモジュールが第１のモジュールの上部に取り付けられている。第２の照明モジュールから第１の照明モジュールの反射部分に光を戻すために、追加の反射器が使用される。
【００２３】
第３の実施例では、照明器具は天井から照明器具を吊り下げるための吊り構造体を含み、出射領域は第１の照明モジュールの底部にあり、反射部分は第１の照明モジュールの上部にあり、第２の照明モジュールは、第１の照明モジュールの上部に取り付けられ、吊り構造体の周りに反射部分に向かって放射状に外側に向けられている。
【００２４】
これはペンダント灯の別のタイプを規定し、このタイプでは、第２のモジュールは第１のモジュールの上部に取り付けられ、装飾光を放射状に向けることによって、光を反射部分に供給する。これにより、更なる反射器の必要性を回避する。
【００２５】
これらの実施例において、第２の照明モジュールは、例えば吊り構造体（即ち、電気供給ケーブル）の周りに、ＬＥＤの環状リング（円形、楕円形、又は他の閉じた形状）を含むことでもよい。
【００２６】
第４の実施例では、照明器具は壁取り付け用に適合されており、
支持構造体は、第１の表面及び反対側の第２の表面を有するキャリアプレートを備え、このキャリアプレートは、第１の表面に結合され外側を向いている第１の照明モジュールを支えており、
第２の照明モジュールは支持構造体の第２の表面に結合されており、
取付板は照明器具の取り付け用であり、
支持構造体の第２の表面の一部は反射部分であり、
取付板の一部は反射部分であり、支持構造体の第２の表面の反射部分に向けられている。
【００２７】
これにより、第２の照明効果が、壁に取り付けられたユニットの背面からの反射光を使用するデザインを提供する。結果として、この反射光は、照明器具の後ろの壁にパターンを生成する。
【００２８】
第５の実施例では、照明器具は壁取り付け用に適合されており、
支持構造体は、第１の表面及び反対側の第２の表面と、第１の表面に結合された第１の照明モジュールとを有するキャリアプレートを備え、支持構造体の第２の表面の一部は反射部分であり、
第２の照明モジュールは支持構造体の第２の表面に結合されており、
照明器具は、装飾用照明を支持構造体の第２の表面の反射部分に向けて戻すために、支持構造体の第２の表面の上方に反射器を更に備える。
【００２９】
これにより、第２の照明効果が上向きで提供され、第１の照明効果（例えば、作業用照明）が下向きで提供されるデザインを提供する。第２の照明効果は、照明器具の上方の壁に効果をもたらすように向けられてもよい。
【００３０】
本発明は、
第１の照明モジュールを使用して第１の位置に第１の照明効果を提供するステップであって、第１の照明モジュールは、第１の表面及び反対側の第２の表面を有する支持構造体と、出射領域から第１の位置に第１の照明効果を提供するために支持構造体の第１の表面に結合された第１の光源と、を備える、ステップと、
第２の照明モジュールを使用して第２の照明効果を提供するステップであって、第２の照明モジュールは第２の位置に第２の照明効果を提供するための第２の光源を備え、第２の光源は支持構造体の第２の表面に結合されるステップとを含む方法であって、第２の光源の出力を、出射領域から離れるように向いている支持構造体の第２の表面の反射部分に向けるステップを含む、照明器具を使用して第１及び第２の照明効果を提供する方法も提供する。
【００３１】
本発明の実施例が、添付の図面を参照して詳細に説明される。
【図面の簡単な説明】
【００３２】
【図１】作業用照明及び装飾用照明を提供するための照明器具の第１の実施例を示す。
【図２】作業用照明及び装飾用照明を提供するための照明器具の第２の実施例を示す。
【図３】作業用照明及び装飾用照明を提供するための照明器具の第３の実施例を示す。
【図４】作業用照明及び装飾用照明を提供するための照明器具の第４の実施例を示す。
【図５】作業用照明及び装飾用照明を提供するための照明器具の第５の実施例を示す。
【図６】照明器具で使用される制御回路を示す。
【発明を実施するための形態】
【００３３】
本発明は、作業用照明などの第１の照明効果を提供するための第１の照明モジュールを備えた照明器具を提供する。第１の照明モジュールは、正面光出射面と、背面反射部分を有する支持構造体とを有する。第２の照明モジュールは、支持構造体の反射部分に向けられている、装飾用照明などの第２の照明効果を提供するためのものである。照明器具は、例えば、装飾用照明を１つの方向に生成し、機能的な光を異なる方向に生成することができる。しかしながら、両方の照明効果が作業用照明用であってもよく、又は、それら両方が装飾用照明であってもよい。
【００３４】
上述したように、屋内照明器具を使用して自然の光を模倣することが知られている。一般的に、自然の屋外の環境で発生する色及び色の時間変化を一致させることが知られている。
【００３５】
本発明は、人々が魅力を感じる他の自然光効果が存在することを示す研究に基づいている。例えば、外部への視界があり、窓を通して日光が入ってくるという感覚は別として、他の自然光現象が重要である。例としては、自然光が水面で反射することにより引き起こされる効果、又は、窓から入ってくる直射日光から生じる壁及び天井の鮮明なパターンがある。本発明は、反射などの、これらの自然光の効果からヒントを得た屋内環境用の電気照明ソリューションを作り出すことを目指している。
【００３６】
これらの自然にヒントを得た照明効果をもたらす照明ソリューションを作り出すために、幾つかの試みがなされた。例えば、壁に太陽光のパターンの幻影を作り出すために、壁に取り付けられた平行四辺形の形状のＬＥＤパネルを使用することが提案された。例えば、木漏れ日の反射の幻影を作り出すために、動的な昼光のパターンを示すことができるモザイク処理されたＬＥＤパネルの使用も提案された。別の例は、光と回転するガラス構造との相互作用に基づいて達成され得るさざなみ効果であり、これは壁にパターンをもたらす。水面下のシーンや森林のシーンなどの様々なシーンを天井に投影する投影システムも開発された。
【００３７】
これらのコンセプトのうちの幾つかは魅力的な照明効果を提供することができるものの、これらは幾つかの問題を持ち込むことが多い。プロジェクタ又は多数のＬＥＤのマトリックス、又は壊れやすい機械部品などの、比較的に高価な照明技術がしばしば必要になる。更に、これらのソリューションは、機能的な照明を提供する場合に、システムを設置する前に大幅なインフラストラクチャの変更を必要とすることがある。
【００３８】
本発明は、代替のソリューションと比べて低コストで魅力的な動的光パターンを生成することを目指す。
【００３９】
図１は、本発明の第１の実施例に従ったシステムを示す。この実施例は、ペンダント灯構成を含む。
【００４０】
照明器具は、支持構造体１１と、第１の照明モジュールの光出射領域から作業領域１６に作業用照明１４を提供するために支持構造体１１により支えられる第１の光源１２と、を備える第１の照明モジュール１０を有する。支持構造体は本質的にハウジングであり、その中に、又はそれに接して、第１の光源が取り付けられる。第１の照明モジュールは、照明モジュールに電力を供給するのに加えて機械的な支えを提供する吊り構造体１８により、使用時に天井から吊り下げられる。
【００４１】
第２の照明モジュール２０は、装飾用照明２４を提供するための第２の光源２２を備える。
【００４２】
第１の照明モジュール１０の支持構造体１１は、光が出力される出射領域の反対側に反射部分２６を有する。第２の光源２０は、支持構造体１１のこの反射部分２６に向けられた光出力を有する。
【００４３】
第１の照明モジュール１０は、作業用照明を生成するためのものである。光出力は、完全に従来のものであり得る。
【００４４】
第２の照明モジュールは装飾用照明効果を生成するためのものであり、第１の照明モジュールから一定の距離に配置される。図示される実施例では、第２の照明モジュール２０は、吊り構造体１８が取り付けられる天井に取り付けられる。第２の光源２２は、１つ又は複数の個別にアドレス指定可能な光源を備え、個々の光源のそれぞれは、高度に平行になっている光学素子を有して狭いビーム角度を生成する。これらの光源は、支持構造体１１の背面上の反射部分２６に向けられている。この反射部分は上側表面全体であってもよく、又は、第２の光源２２によって使用時に照らされる一部分であってもよい。
【００４５】
反射部分２６は、例えば天井又は壁など、装飾パターンが示される領域に向かって、第２の照明モジュールの光を反射する。反射面は、理想的には非常に反射性であり、第２の照明モジュールにより生成される狭い光ビームとの相互作用により複雑な高解像度の反射光パターンを生成するように、特定の構造を有する。第１の照明モジュールの反対側の出射領域は、第２の照明モジュールからの反射光とは別の方向に機能的な光を放射する。この異なる方向は反対方向であってもよいが、これは必須ではなく、反射部分は上向きの方向ではなく横方向へ光を反射してもよい。
【００４６】
制御モジュールが、２つの照明モジュールのそれぞれについて、経時的な色、色温度及び強度などの光パラメータを調節して、動的なパターンを生成することを可能にする。更に、制御モジュールは、装飾モード（第２の照明モジュールのみがオンになる）、機能モード（第１の照明モジュールのみがオンになる）、又は複合モード（両方の照明モジュールがオンになる）の間の切り替えを可能にする。
【００４７】
装飾用照明効果を生成するための第２の照明モジュールは、典型的に、複数の個別に制御可能なＬＥＤからなる。これらのＬＥＤは、高いコントラスト及び明確な細部を有する鮮明なパターンを生成するために、典型的に狭いビーム（例えば、＜２０度）を有する。ハロゲンスポット又はレーザーなどの、他の指向性の光源が、ＬＥＤの代わりに使用されることができる。これらの光源は、反射部分２６に向けられている。
【００４８】
この反射部分２６は、例えば、関心領域上に高コントラストで非常に詳細な光パターンを生成するために、不規則な構造を有する高反射性材料で構築される。例えば、ガラス、アルミニウム、又はプラスチックが使用されることがある。材料の種類及び特にその表面構造が、パターンの所望の外観を規定するように選択される。例えば、より規則的な構造が、より規則的なパターンをもたらす。材料中の鋭いエッジが、高いコントラストを有するパターン（即ち、より平行な反射）をもたらす。反射部分は、表面粗さ、穴、しわ、くぼみ等を有してもよい。
【００４９】
表面パターンに加えて、パターンの外観を規定する他のパラメータには、装飾的な第２の光源２２と反射部分２６との間の距離、及び反射部分２６と例えば壁又は天井などの光パターンが表示される領域との間の距離を含む。これら２つの距離を増加させることは、一般的に、より小さな距離値の場合よりも、より大きいがより強度が低いパターンをもたらす。勿論、反射器の形状も装飾用照明効果に影響を与える。平坦な表面は、凹面又は凸面とは異なるパターンをもたらす。例えば、凸面はパターンを大きな表面に広げ、一方凹面はパターンをより集中させる。
【００５０】
動的なパターンを生成するために、制御モジュールが、２つの照明モジュールのそれぞれについて、経時的な色、色温度及び強度などの光パラメータを調節することを可能にする。動的な光の挙動を制御するために、様々な方法が使用され得る。ソフトウェアを用いて、光の挙動が（例えば、照明デザイナにより）スクリプト化されることができ、又は、（例えば、マルコフ連鎖モデルを使用して）光の挙動を規定する数学的関数によりプログラムされることができる。
【００５１】
コントローラは、幾つかの入力パラメータ（例えば、ユーザ入力又はセンサ入力）に基づいて自動的に照明の挙動を生成してもよい。例えば、戸外が晴天の場合には光の強度が増加してもよく、光の変化の速度は風速に依存してもよい。光パターンの動的な外観を規定する重要な制御パラメータは、強度、色、及び色温度などの光パラメータの変動の振幅及び周波数である。一般的に、振幅がより大きくかつ周波数がより高いと、より強く動的であると知覚されるパターンをもたらし、一方、振幅がより小さく且つ周波数がより低いと、より静かな、より緩やかなパターンをもたらす。
【００５２】
これらの時間的な特性に加えて、空間的な強弱の変化が使用されてもよく、これは、異なる位置にある光源が制御される態様を意味する。例えば、互いに５ｃｍ離れて配置された２つのＬＥＤの場合、それらを交互にオン及びオフに切り替えてジャンプパターンを生じさせることができ、又は、一方の光の強度を低減しながら同時に他方の光の強度を増加させることにより、滑らかな移行を有し、パターンのクロスフェードを生じさせることができる。
【００５３】
図１の実施例は、例えば、ダイニングテーブル１６などの作業領域上に配置するためのペンダント照明器具である。
【００５４】
この実施例における第２の照明モジュール２０は、天井に装飾用照明効果を生成するためのものであり、天井に又はその直下に取り付けられる。１つの例では、第２の照明モジュール２０は６個の個別にアドレス指定可能な高電力ＬＥＤ光源を備え、その各々は個々の光学ビーム成形出力素子を有し、例えば８度の狭いビームを生成する。これらのＬＥＤは、例えば直径１０ｃｍの円状に、ＬＥＤ同士の間の距離が等しく、配置される。これらのＬＥＤは、反射部分２６に向けて下向きに向けられている。コスト、光出力、及び装飾パターンの解像度の間のトレードオフをして、より少ない、又はより多くの光源が使用されることができる。
【００５５】
第１の照明モジュール１０は、例えば、第２の照明モジュールの下に８０ｃｍの距離の位置に配置される。最適な距離は、適用環境及び所望される効果に依存する。第１の照明モジュールの光源１２は、テーブル上に機能的な照明又は作業用照明を作り出す。光源１２は、小型の蛍光灯であってもよいが、ＬＥＤ、ＯＬＥＤ、又は他のタイプの光源が使用されてもよい。
【００５６】
複数の高電力ＬＥＤの強度が、例えばＤＭＸ（「デジタル多重化」：digital multiplex）照明プロトコルを使用して、好ましくは個別に制御されることができる。個々のＬＥＤの強度レベルを動的に変更することにより、動くパターンの幻影が、物理的な可動部なしに生成されることができる。ＬＥＤがオン及びオフされる量及び順番に加えて、強度変化の周期及び振幅を変化させることにより、様々な動的パターンが生成されることができる。
【００５７】
ペンダント照明器具に加えて、床置き型、デスク及びテーブルランプ、及び壁掛け設備を含む、他の多くのタイプの照明器具に、同じ概念をあてはめることができる。ここで、幾つかの代替の実施形態について説明する。同じ構成要素を示すために、全ての図で同じ参照番号が使用される。
【００５８】
図１の実施例では、第２の照明モジュール２０は第１の照明モジュール１０とは別の部品である。図２の実施例は、２つの照明モジュールを１つの照明器具に結合している。第２の照明モジュールのＬＥＤ２２は、動的パターン効果のために、ペンダント照明器具ハウジング１１の上側上、例えば照明の笠の上部上のモジュール上に配置される。ＬＥＤ（即ち、第２の光源２２）は、天井に取り付けられたミラー３０に向かって上向きに光を放射する。装飾的なＬＥＤ光源２２からの平行になった光ビームは、このミラー３０により、反射部分２６を有する照明器具の笠の上部に向かって反射される。上部ミラー３０は、装飾光２４を第１の照明モジュールのハウジング１１の規定された部分、即ち、この例では照明の笠に向けるために、湾曲していてもよい。上部ミラー３０は、例えば、第２の照明モジュールの上に８０ｃｍの距離に配置される。最適な距離は、適用環境及び所望される効果に依存する。結果として、光は上部反射部分２６から天井に向けて反射され、装飾的な動的光効果として現れる。
【００５９】
図１及び図２の実施例は、２つの別個の部品が取り付けられることが必要である。図３は、側面放射ＬＥＤ２２を有するペンダント照明器具の実施例を示す。これらは、動的な装飾用照明を提供するためのＬＥＤが、再び照明器具の本体に組み込まれることを可能にする。しかしながら、このデザインは、２つの別個のユニットを設置する必要性を回避する。反射部分は再び第１の照明モジュールの上部にあり、第２の照明モジュールの光源２２は、第１の照明モジュールの上部に取り付けられている。ＬＥＤ２２はカラー３２を囲み、その結果、ＬＥＤ２２は概ね放射状に外側に向けられ、反射部分２６に向けられる。この場合の反射部分は、放射状の光を概ね上方向に向け直すために、傾斜面となっている。従って、反射部分は光を上方に反射して、装飾的な光効果を生成する。表面は、光を天井の特定の部分に向けるように湾曲していてもよい。光源は、カラー３２の軸の周りに、円形の配置で再び配置されることができる。光源は、反射部分２６の特定の部分に向けた適切な光の方向をもたらすために、水平に又はある仰角に向けられてもよい。
【００６０】
上記の実施例は全て、吊り下げられたペンダント照明器具である。
【００６１】
図４は、第１の壁掛け式のデザインを示す。
【００６２】
機能的な作業用照明が、第１の照明モジュール１０により概ね下方向に提供され、装飾用照明が第２の照明モジュール２２により概ね上方向に提供される。作業用照明は室内空間に入り、装飾用照明はこのユニットが取り付けられている壁に向けられる。
【００６３】
この場合の支持構造体１１は、第１の表面及び反対側の第２の表面を有する取り付けブラケットを備える。第１の光源１２は、ブラケットアーム３４の部屋に面する側にある。このブラケットアーム３４は、キャリアプレートとして機能する。ブラケットアーム３４の背面は支持構造体の第２の表面を規定し、ブラケットアームの一部は反射性である。第２の光源２２は、ブラケットアーム３４の第２の表面に結合されている。取付板３６の一部（３０）は反射性であり、支持構造体１１の第２の表面の反射部分２６に向けられている。第２の光源２２は、光２４をブラケットアーム３４に当てて反射させて戻し、且つ上方にも反射させる取付板の反射部分３０に面している。
【００６４】
図５は、第２の壁掛け式のデザインを示す。
【００６５】
左の画像は、正面図を示す。これは、光源が見えない、装飾的な光の取り付け部品を含む。作業光１４は下方向に放射され、装飾光２４は上方向に放射される。照明器具は、見た目に美しい正面カバーにより覆われる。
【００６６】
右の画像は、内部の構成要素を、再度正面図として示している。
【００６７】
支持構造体１１が、第１の（作業）光源１２を下部に有し、且つ第２の（装飾）光源２２を上部に有するキャリアプレートを備える。ミラー４０が照明器具ハウジング内部で使用されて、第２の光源２２からの光をキャリアプレート１１の反射部分に戻すように反射する。反射部分２６から、光は壁に向かって上方向に進む。ミラー４０は、光を反射材料（のより小さな部分）に向けるように湾曲していてもよい。
【００６８】
図６は、第１の照明モジュール１０（ＬＭ１）、第２の照明モジュール２０（ＬＭ２）、及びコントローラ５０を含む照明システム全般を、簡略化した概略形式で示す。コントローラ５０は、ユーザインターフェース５２から、及び任意選択的にセンサ５４からも、入力を受け取ることができる。これらのセンサは、温度、周囲の光のレベル、また、色温度、風速、有無検出、時刻等の周囲の光に関する他の情報を検出することができる。コントローラは、無線ＲＦプロトコルを使用してコマンドを受信してもよく、その結果、例えば、ユーザインターフェースとコントローラとの間のリンクは無線ＲＦリンクになっていてもよい。照明器具は、例えば、スマートフォンなどの携帯電話によって制御されてもよい。
【００６９】
光源については、上記では詳細に説明されていない。色付きのＬＥＤ又はカラーフィルタを使用して、よりカラフルな動的光パターンを生成することができる。例えば、赤色、琥珀色、暖かい白色及び冷たい白色のカラーフィルタを有するディスクを使用して、自然の日光の異なる色合い（又は、暖かい暖炉の効果）を模擬することができ、又は、青色、白色、及び緑色のフィルタを使用して水中のシーンを作り出すことができる。
【００７０】
反射部分２６が、照明器具の残りの部分に別個に供給されて、装飾用照明効果の選択を可能にしてもよい。提供される反射部分は、所定の隆起した構造、ひだ、若しくはくぼみを有してもよく、又は、装飾用照明効果を個人の好みに合わせるためになどエンドユーザが表面を加工するように滑らかな平面構造が提供されてもよい。これにより、広範囲に渡って、又はより控えめな範囲に渡って、強い又は穏やかな影響を伴って、多数の又は少数の照明効果を有するための選択肢を与える。ローカルなカラーフィルタ、又は他のパターン生成素子が、エンドユーザにより選択されてもよい。ユーザが定義可能な強弱の変化と組み合わせて、幅広い魅力的な照明効果が作り出されることができる。
【００７１】
異なるスペクトル特性を有する複数の光源を使用することにより、所望の設定に見合うように光出力全体がスペクトル調整されることができる。例えば、リラックスさせるパターンは、よりゆっくりとした強弱の変化、より低い強度、相対的にわずかの青色及びより多くの赤色を有するスペクトル組成を使用することができる。活動的にさせるパターンは、より速い強弱の変化、より高い強度、及び比較的により多くの青色の光出力を使用することができる。
【００７２】
従って、本発明に従った幾つかの例は、例えば、動的な反射光パターンを含み得る装飾用照明が提供されることを可能にする。動的なパターンは、反射面に向けられた平行になった個々の光源の個々の動的な制御を通じて、動いているように見せかけることができ、従って、照明器具内の物理的な可動部の必要性を回避する。本発明は、広範囲の照明器具に容易に適用されることができ、機能的な照明器具に対して低コストの装飾的な特徴として容易に追加されることができる。本発明を使用して、動的な（日光の）パターンを模擬し、より快適でよい刺激になる屋内照明雰囲気を作り出すことができる。
【００７３】
コントローラ５０は、必要とされる様々な機能を実施するために、ソフトウェア及び／又はハードウェアを用いて、多数の態様で実装されることができる。プロセッサは、必要な機能を実施するためにソフトウェア（例えば、マイクロコード）を使用してプログラムされることができる１つ又は複数のマイクロプロセッサを使用するコントローラの一例である。しかしながら、コントローラは、プロセッサを使用して又は使用しなくて実装されることでもよく、幾つかの機能を実行するための専用のハードウェアと他の機能を実行するためのプロセッサ（例えば、１つ又は複数のプログラムされたマイクロプロセッサ及び関連する回路）との組み合わせとして実装されてもよい。
【００７４】
本開示の様々な実施形態で使用されることができるコントローラ部品の例としては、従来のマイクロプロセッサ、特定用途向け集積回路（ＡＳＩＣ）、及びフィールド・プログラマブル・ゲート・アレイ（ＦＰＧＡ）が含まれるが、これらに限定はされない。
【００７５】
様々な実施態様において、プロセッサ又はコントローラは、ＲＡＭ、ＰＲＯＭ、ＥＰＲＯＭ、及びＥＥＰＲＯＭなどの揮発性及び不揮発性のコンピュータメモリなどの、１つ又は複数の記憶媒体と関連付けられることがある。記憶媒体は、１つ又は複数のプロセッサ及び／又はコントローラ上で実行されると必要とされる機能を実行する１つ又は複数のプログラムを用いて、符号化されることでもよい。様々な記憶媒体が、プロセッサ又はコントローラの内部に固定されていてもよく、又は、そこに記憶された１つ又は複数のプログラムがプロセッサ又はコントローラにロードされることができるように、移動可能であってもよい。
【００７６】
開示された実施形態への他の変形例が、図面、明細、及び添付の請求項の研究から、特許請求された本発明を実施する際に当業者によって理解され実施されることができる。請求項において、単語「含む（ｃｏｍｐｒｉｓｉｎｇ）」は他の構成要素又はステップを排除するものではなく、不定冠詞「１つの（ａ）」又は「１つの（ａｎ）」は、複数を排除するものではない。特定の処置が互いに異なる従属請求項に記載されているという単なる事実は、これらの処置の組み合わせが利益を得るように使用され得ないということを示すものではない。請求項におけるいかなる参照符号も、範囲を限定するものとして解釈されるべきではない。
【図１】
0006532942.tif 000002
【図２】
0006532942.tif 000003
【図３】
0006532942.tif 000004
【図４】
0006532942.tif 000005
【図５】
0006532942.tif 000006
【図６】
0006532942.tif 000007